(57)【要約】 【課題】長時間の座位にても腰痛を引き起こさず，机上作業を妨げない椅子を提供すること．【解決手段】椅子の座面が前側部分において左右に分かれており，左右の座面部は後端部の横支軸を回転支点に前後傾斜でき，さらに左右の座面部をつなぐ連動装置により，左右の座面部が連動して互い違いに前後傾斜する椅子である．脚を交差させなくても足を組んだ時のリラックス姿勢をとることができ，また歩行と同質の下肢−骨盤−腰の能動的運動を行うことが可能で持続同一姿勢に伴う弊害を解消する．また殿大腿部における圧迫状態を大きく変化させることができる．これらにより腰痛を防止し，さらにデスクワークを妨げる姿勢とならない．【選択図】図６
2017086249.tif 000002
【特許請求の範囲】
【請求項１】
着座者の臀部から大腿部が接触する部分である座面と，座面を支える台部を有する椅子において，
座面が少なくとも座面の前側部分において左右に分割しており，座面の基本要素は左座面部と右座面部で構成されるか，または左座面部と右座面部と後方座面部で構成され，
左右の座面部の前側５分の３部分よりも後方に位置する，台部と直接もしくは間接的に接続された，左右方向に長い支点にて，左右の座面部はそれぞれ前後傾斜することが可能であり，
左右の座面部と接続している連動装置により，左右の座面部は連動して互い違いに前後傾斜することが可能なことを特徴とする椅子．
【請求項２】
左右の座面部の後端部付近に位置する，左右方向に長軸をもつ軸構造を有する横支軸があり，左右の座面部は横支軸により接続され，横支軸は台部と直接もしくは間接的に接続され，左右の座面部はそれぞれ前後傾斜することが可能であることを特徴とする請求項１に記載の椅子．
【請求項３】
前記連動装置は，
左右方向に長軸を有するバーがあり，
台部に接続していて前後方向に長軸を持つ軸構造を有する縦支軸があり，
バーが左右の座面部を支持し，バーの中央にてバーと縦支軸が接続しているもので，
左右の座面部は連動して互い違いに前後傾斜することが可能なことを特徴とする請求項１，２に記載の椅子．
【請求項４】
前記連動装置は，
複数の歯車の組み合わせによる歯車式反転装置であり，左右の座面部に固定された横支軸の間に歯車式反転装置が設置され，歯車式反転装置が台部に直接もしくは間接的に固定されているもので，
左右の座面部は連動して互い違いに前後傾斜することが可能なことを特徴とする請求項１，２に記載の椅子．
【請求項５】
前記連動装置は，
傘歯車の軸がそれぞれ直交する位置にて複数の傘歯車が組み合わされている歯車式反転装置であり，左右の座面部に固定された横支軸の間に歯車式反転装置が設置され，歯車式反転装置が台部に直接もしくは間接的に固定されているもので，
左右の座面部は連動して互い違いに前後傾斜することが可能なことを特徴とする請求項１，２に記載の椅子．
【請求項６】
前記連動装置は，
左右方向に長軸を有する横アームとそれより斜めの長軸を有する複数の斜めアームがあり，
台部に固定されていて左右方向に長軸を持つバーがあり，
アームが左右の座面部を支持し，アームとバーが接続しているもので，
左右の座面部は連動して互い違いに前後傾斜することが可能なことを特徴とする請求項１，２に記載の椅子．
【発明の詳細な説明】
【技術分野】
【０００１】
本発明は，長時間座位にて発生する腰痛を防止することを目的とする椅子に関するものである．
【背景技術】
【０００２】
長時間のデスクワークを行う職種では腰痛を訴える人が多い．長時間座位にて引き起こされる腰痛の発症原因は，腰椎後弯持続による椎間板性疼痛や背筋性疼痛，臀部圧迫痛などが考えられる．
【０００３】
腰椎後弯を減少させる目的で椅子の背もたれにパッドを入れたり，背もたれを倒したり，また膝で支える形態の椅子（バランスチェア）もある．臀部の長時間圧迫による臀部痛を軽減させるために，座面のクッションに低反発素材を用いたり大腿後面と臀部の形状に合わせた曲線を持つ座面にしている椅子もある．しかし，持続同一姿勢で背筋が不動状態に長時間置かれることはたとえ負荷が少ない状況でも筋への血流が停滞し，乳酸の蓄積を招き鈍痛を引き起こす．さらに血流ではなく拡散によって栄養されている椎間関節と椎間板は，持続同一姿勢によりその拡散が不良となるため悪影響を受ける．
【０００４】
背もたれが倒れたり，座面の高さを変えることができる椅子は多くあり，それらの動きにより座る姿勢を変えることはできるが，デスクワークを行う姿勢は自ずと作業に適した背もたれの角度と座面の高さに限定されるため，頻繁に動かすことは現実的ではない．ロッキング機構付チェアや特許文献１のように座面板が前後方向において傾斜角を変えることができる椅子は存在するが，同様である．さらに，座面の後方傾斜は背部と背もたれとの圧迫を強くし，背部痛を惹起する．また座面の前傾斜は臀部のずり落ちを惹起する． 
【０００５】
特許文献２−４のような動揺椅子もしくはバランスボール等では不安定に座面が動きバランスをとるため常に背筋の緊張が必要となり筋疲労を引き起こす．非特許文献１のようにモーターにて他動的に座面を一定リズムにて傾動させる椅子も存在するが，自らの意思とは関係の無い動きによる姿勢制御に伴う強いられた筋緊張により不快感を伴う．さらに人体は下肢と骨盤，腰椎は密接に関連しており，下肢の運動を伴わない骨盤，腰椎の運動は自然な動きとはいえない．
【０００６】
特許文献５，６のような座面が左右で分割され，その間隔を変えたり独立して動揺する椅子もある．また特許文献７のような座面が左右で分かれ，左右が連動して上下動する椅子も考案されている．これらは座面が左右で独立して動揺することで座面と着座者の殿大腿部とのフィット性を向上させるものであるが，後述するような脚を組んだ時のリラックス姿勢や歩行時と同質の両下肢−骨盤−腰椎の連動した動きを行えるものではない．
【先行技術文献】
【特許文献】
【０００７】
【特許文献１】特開２０１４−４６１３２
【特許文献２】特開２００５−５８７１９
【特許文献３】特開２００６−６８２２３
【特許文献４】特開２００８−８６６１４
【特許文献５】特許第４５４６９５７号
【特許文献６】特開２００５−５２３１７
【特許文献７】特開平１０−１５１０３３
【非特許文献】
【０００８】
【非特許文献１】知念佑太著，能動的に座面を傾動可能な椅子を用いた腰部負担改善システムにおける座面傾動パターンの検討，２０１４年度精密工学会春季大会学術講演会講演論文集
【発明の概要】
【発明が解決しようとする課題】
【０００９】
座位時に脚を組むとリラックスすることができる．脚を組む時は，股関節の屈曲角の左右差が生じている．それに付随して図１のように骨盤１が側方に軽度傾き（骨盤側方傾斜），腰椎２は側彎し背筋３の長さが片方で短縮と他方で伸張し，筋緊張が緩和される．椎間板や椎間関節も動くことになり，同部の酸素，栄養の拡散が促進される．しかし長時間脚を組むことは脚同士の圧迫による不快感を生じる．この脚を組んだ時と同様なリラックス姿勢を脚同士が組み合うことなく実現することを今回の発明の目的とする．また長時間座位による腰痛は歩行を行うとより改善されるが，歩行に伴う両下肢−骨盤−腰椎の連動した動きは全身性の筋緊張の緩和と血流の改善をもたらす．これを椅子で再現することも今回の発明の目的とする．
【課題を解決するための手段】
【００１０】
本発明の椅子は，左右の座面部が連動して互い違いに前後傾斜するもので，一方の下肢を伸展させるとその作用力によりその方の座面部が前傾し，それと連動して他方の座面部が後傾されて，他方の下肢の股関節が屈曲する姿勢になる．これを左右交互に行うことができる．
【発明の効果】
【００１１】
左右の股関節の屈曲差が生じ，骨盤も軽度の傾斜と腰椎の弯曲も起こり背筋に動きをもたらす．これは脚を交差させていないが脚を組んだ時と同様なリラックス姿勢となり，背筋緊張緩和も得られる．左右交互に繰り返すと，歩行時に行われる両下肢−骨盤−腰椎の連動した動きと同質となり，持続同一姿勢に伴う弊害を解消し腰痛を緩和する．臀部と大腿部の座面への加重状況が大きく変化することで圧迫痛を緩和する．多方向に動揺するのではなく，能動的で特定の動きを起こすものであり不快感が少ない．座面部の前傾斜と後傾斜が同時に起きるため，ずり落ちを起こさない．動きながらもデスクワークを妨げる姿勢にはならない．
【図面の簡単な説明】
【００１２】
【図１】骨盤腰椎背筋の模式図．a：骨盤左傾時  b：中間位  c：骨盤右傾時．
【図２】本発明の実施形態の座面の上面図．
【図３】本発明の実施形態１の全体側面図．
【図４】本発明の実施形態１の下面図．（台部高位にて切断）
【図５】本発明の実施形態１の連動装置の前面図．
【図６】本発明の実施形態１，２の動態側面図．a：左脚伸展時  b：右脚伸展時
【図７】本発明の実施形態２の全体側面図．
【図８】本発明の実施形態２の下面図．（台部高位にて切断）
【図９】本発明の実施形態２の連動装置の下面図．（外壁切断）
【図１０】本発明の実施形態３の連動装置の前面図．
【図１１】本発明の実施形態４の動態側面図．a：左脚伸展時  b：右脚伸展時
【発明を実施するための形態】
【００１３】
本発明の実施形態１を図２a，図３〜６を用いて説明する．図２aのように人が座る時に臀部や大腿部と接する座面は前側で左右に分割しており，左座面部４と右座面部５と後方座面部６で構成される．座面を支える台部７がある．台部７の下に脚部８がある．後方に背もたれ９がある．後方座面部６は後方支持部材１０にて台部７と固定されている．左右方向に長軸をもつ軸構造を有する横支軸１１が左右座面部４，５の後端部下面に位置し，左右の座面部４，５に固定された軸受１１１と横支軸１１が接続し，横支軸１１は台部７に連続するストッパー１５に固定されている．この構造により左右の座面部４，５はそれぞれ前後傾斜することが可能である．ストッパー１５にて傾斜角を制限している．左右方向に長軸を有するバー１２があり，バー１２がアーム１３を介して左右の座面部４，５の下部に接続している．前後方向に長軸を持つ軸構造を有する縦支軸１４があり，縦支軸１４は台部７に連続するストッパー１５に固定されている．バー１２の中央にてバー１２と縦支軸１４が接続している．これらの構造により図６のように左右の座面部４，５は連動して互い違いに前後傾斜する．
【００１４】
実施形態２を図２a，図６〜９を用いて説明する．実施形態２は，連動装置が図９のように傘歯車１６が４個あり，それぞれ直交する位置にて組み合わさっており，左右の横支軸１１が反転する歯車式反転装置１７である．歯車式反転装置１７は左右の座面部４，５の後縁部下面に位置し，歯車式反転装置１７から左右に出た横支軸１１は左右の座面部４，５に横支軸固定部１１２にて固定されている．歯車式反転装置１７は台部７に連続するストッパー１５に固定されている．連動装置周囲以外は実施形態１と同様である．これらの構造により，図６のように左右の座面部４，５は連動して互い違いに前後傾斜する．ストッパー１５にて傾斜角を制限している．
【００１５】
連動装置以外は実施形態１と同じであるが，連動装置が，図１０のような横アーム１８と斜めアーム１９と，台部７に固定されたバー２０で構成される構造も考えられる（実施形態３）．前述と同様に左右の座面部４，５は連動して互い違いに前後傾斜する．
【００１６】
座面の基本要素は図２aのように左座面部４と右座面部５と後方座面部６の三つの座面部で構成される前述実施形態１と２等の他に，図２bのような左座面部４１と右座面部５１の二つの座面部で構成される形態（実施形態４）も考えられる．実施形態４も座面以外の構成は前述と同様であり，図１１のように左右の座面部４１，５１は連動して互い違いに前後傾斜する．
【図１】
2017086249.tif 000003
【図２】
2017086249.tif 000004
【図３】
2017086249.tif 000005
【図４】
2017086249.tif 000006
【図５】
2017086249.tif 000007
【図６】
2017086249.tif 000008
【図７】
2017086249.tif 000009
【図８】
2017086249.tif 000010
【図９】
2017086249.tif 000011
【図１０】
2017086249.tif 000012
【図１１】
2017086249.tif 000013